(57)【要約】【課題】運搬が容易であり、かつ、安定して設置できる遊技機を提供すること。【解決手段】遊技機は、車輪８１と、この車輪８１を回転可能に支持するキャスター本体８２とを有するキャスター８０ａを備える。キャビネット底部６４には、車輪８１の少なくとも一部が露出する貫通孔６４１ａが形成され、キャビネット底部６４のうちキャビネット内部側には、キャスター本体８２を着脱可能に支持するキャスター支持部９０ａが設けられる。また、キャスター本体８２がキャスター支持部９０ａに取り付けられた状態では、車輪８１の少なくとも一部は、貫通孔６４１ａから露出する。【選択図】図６
2008079865.tif 000002
【特許請求の範囲】
【請求項１】
遊技に必要な複数種類の図柄を変動表示する変動表示手段と、
遊技者が操作可能な操作手段と、
遊技者による前記操作手段の操作に応じて前記変動表示手段の変動表示を停止させる停止制御手段と、
これら手段が設けられた筐体と、を備える遊技機であって、
車輪と、この車輪を回転可能に支持する本体とを有する複数のキャスターを備え、
前記筐体は、箱状のキャビネットと、当該キャビネットを開閉する前面ドアとを備え、
前記キャビネットの底部には、前記車輪の少なくとも一部が露出する複数の貫通孔が形成され、
前記キャビネットの底部のうちキャビネット内部側には、前記キャスターの本体を着脱可能に支持するキャスター支持部が設けられ、
前記キャスターの本体が前記キャスター支持部に取り付けられた状態では、前記車輪の少なくとも一部は、前記貫通孔から露出することを特徴とする遊技機。
【請求項２】
請求項１に記載の遊技機において、
前記キャスター支持部は、前記キャスターの本体を固定する固定機構を備えることを特徴とする遊技機。
【請求項３】
請求項１または２に記載の遊技機において、
前記キャスターの本体は、前記車輪を回転可能に支持する支脚部と、前記キャスター支持部に取り付けられる取付部と、前記支脚部を前記取付部に対して昇降させる昇降機構と、を備えることを特徴とする遊技機。
【請求項４】
請求項１から３のいずれかに記載の遊技機において、
前記キャビネットの内部には、前記キャスター支持部から取り外されたキャスターを収納するキャスター収納部が設けられることを特徴とする遊技機。
【発明の詳細な説明】
【技術分野】
【０００１】
本発明は、遊技機に関する。
【背景技術】
【０００２】
例えば、停止ボタンを備えたスロットマシン、いわゆるパチスロ機は、正面の表示窓内に複数の図柄を表示する機械的回転リールを複数配列して構成した変動表示装置、或いはリール上の図柄を画面に表示する電気的変動表示装置を有する。遊技者のスタート操作に応じて、制御手段が変動表示装置を駆動して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にコイン、メダル等の遊技媒体を払い出すことで遊技者に利益を付与するものである。
【０００３】
現在主流の機種は、複数種類の入賞態様を有するものである。特に、所定の役の入賞が成立したときは、１回のコインの払い出しに終わらず、所定期間、通常の状態よりも条件の良い遊技状態となる。このような役として、遊技者に相対的に大きい利益を与えるゲームが所定回数行える役（「ビッグボーナス」と称し、以下「ＢＢ」と略記する）と、遊技者に相対的に小さい利益を与える遊技を所定ゲーム数行える役（「レギュラーボーナス」と称し、以下「ＲＢ」と略記する）がある。
【０００４】
また、現在主流の機種においては、有効化された成立ライン（以下「有効ライン」という）に沿って所定の図柄の組合せが並び、コイン、メダル等が払出される入賞が成立するには、内部的な抽籤処理（以下「内部抽籤」という）により役に当籤（以下「内部当籤」という）し、かつその内部当籤した役（以下「内部当籤役」という）の入賞成立を示す図柄の組合せを有効ラインに停止できるタイミングで遊技者が停止操作を行うことが要求される。つまり、いくら内部当籤したとしても、遊技者の停止操作のタイミングが悪いと入賞を成立させることができない。すなわち、停止操作のタイミングに熟練した技術が要求される（「目押し」といわれる技術介入性の比重が高い）遊技機が現在の主流である。
【０００５】
ところで、上述のような遊技機において、その筐体内部には、リールを回転させる変動表示装置、メダルを収容及び払出すホッパー、これら変動表示装置及びホッパーに電力を供給する電源ユニット等の複数の装置が収容される。このため、遊技機は、その運搬時に、台車等を用いなければならない程の重量を有する。
またさらに、この筐体の内部には、変動表示装置、ホッパー、及び電源ユニット等を制御する制御基板等の精密機器も納められる。このため、遊技機の運搬時には、筐体に衝撃を加えないように注意する必要があり、その運搬に手間取る場合があった。
【０００６】
このため、筐体の底部において、その外周面の少なくとも一部が筐体の底面から突出する車輪が設けられた遊技機が提案されている（特許文献１参照）。この遊技機によれば、筐体の底部に設けられた車輪を回転させることにより、運搬台車等を用いることなく遊技機を運搬することができる。
【特許文献１】特開２００６−２０４４１８号公報
【発明の開示】
【発明が解決しようとする課題】
【０００７】
しかしながら、特許文献１に示された遊技機では、筐体の底部に車輪を設けることにより運搬が容易になるものの、この遊技機は、車輪の外周面が設置面に接した状態で設置される。このため、例えば、遊技者による停止操作によって、遊技機が筐体ごと動いてしまうおそれがあった。
【０００８】
本発明は、上述の課題に鑑みてなされたものであり、運搬が容易であり、かつ、安定して設置できる遊技機を提供することを目的とする。
【課題を解決するための手段】
【０００９】
本発明では、以下のようなものを提供する。
【００１０】
（１）  遊技に必要な複数種類の図柄を変動表示する変動表示手段（例えば、後述のリールユニット７３）と、遊技者が操作可能な操作手段（例えば、後述の停止ボタン７Ｌ，７Ｃ，７Ｒ）と、遊技者による前記操作手段の操作に応じて前記変動表示手段の変動表示を停止させる停止制御手段（例えば、後述の主制御ユニット７１）と、これら手段が設けられた筐体（例えば、後述の筐体４）と、を備える遊技機（例えば、後述の遊技機１）であって、車輪（例えば、後述の車輪８１）と、この車輪を回転可能に支持する本体（例えば、後述のキャスター本体８２）とを有する複数のキャスター（例えば、後述のキャスター８０ａ，８０ｂ，８０ｃ，８０ｄ）を備え、前記筐体は、箱状のキャビネット（例えば、後述のキャビネット６０）と、当該キャビネットを開閉する前面ドア（例えば、後述の前面ドア２）とを備え、前記キャビネットの底部（例えば、後述のキャビネット底部６４）には、前記車輪の少なくとも一部が露出する複数の貫通孔（例えば、後述の貫通孔６４１ａ，６４１ｂ，６４１ｃ，６４１ｄ）が形成され、前記キャビネットの底部のうちキャビネット内部側には、前記キャスターの本体を着脱可能に支持するキャスター支持部（例えば、後述のキャスター支持部９０ａ，９０ｂ，９０ｃ，９０ｄ）が設けられ、前記キャスターの本体が前記キャスター支持部に取り付けられた状態では、前記車輪の少なくとも一部は、前記貫通孔から露出することを特徴とする遊技機。
【００１１】
（１）記載の遊技機によれば、キャビネットの底部に、キャスターの車輪が露出可能な複数の貫通孔を形成するとともに、キャスターの車輪の一部が貫通孔から露出した状態で、キャスターの本体が取り付けられるキャスター支持部を設けた。これにより、キャスターの車輪を回転させることにより、台車等を用いることなく容易に遊技機を運搬できる。
【００１２】
またここで、キャスター本体をキャスター支持部から着脱可能にするとともに、このキャスター支持部を、キャビネットの底部のうちキャビネット内部側に設けた。これにより、キャスター支持部から、キャスターを取り外した場合には、このキャビネットの底面は、略平らな面となる。つまり、キャスターを取り外すことにより、キャビネットの底面と設置面とを合わせた状態で設置できる。これにより、遊技機を安定して設置することができる。
また、キャスター支持部をキャビネット内部側に設けたので、作業者は、キャビネットの内部からキャスターを着脱できる。これにより、キャスターを着脱する作業を容易にできる。
【００１３】
（２）  （１）に記載の遊技機において、前記キャスター支持部は、前記キャスターの本体を固定する固定機構（例えば、後述のプレート９２、回動軸９３、及び係止部９４）を備えることを特徴とする遊技機。
【００１４】
（２）記載の遊技機によれば、キャスター支持部に、キャスターの本体を固定する固定機構を設けた。これにより、遊技機の運搬中に、キャスターの本体がキャスター支持部から脱落するのを防止できる。
【００１５】
（３）  （１）または（２）に記載の遊技機において、前記キャスターの本体は、前記車輪を回転可能に支持する支脚部（例えば、後述の支脚部８２１）と、前記キャスター支持部に取り付けられる取付部（例えば、後述の取付部８２２）と、前記支脚部を前記取付部に対して昇降させる昇降機構（例えば、後述のガスシリンダー部８２３）と、を備えることを特徴とする遊技機。
【００１６】
（３）記載の遊技機によれば、キャスターの本体に、支脚部を取付部に対して昇降させる昇降機構を設けた。これにより、キャスターの本体をキャスター支持部に取り付けた状態で、このキャスターの長さを調整することができる。
したがって、例えば、キャスターの本体をキャスター支持部から取り外す場合には、これに先だってキャスターの長さを短くして貫通孔から露出した車輪をキャビネット内部に収納し、キャビネットの底面を設置面に合わせることにより、キャスターを取り外す際にキャビネットに加わる衝撃を抑えることができる。
【００１７】
（４）  （１）から（３）のいずれかに記載の遊技機において、前記キャビネットの内部には、前記キャスター支持部から取り外されたキャスターを収納するキャスター収納部（例えば、後述のキャスター収納部８９）が設けられることを特徴とする遊技機。
【００１８】
（４）記載の遊技機によれば、キャスター支持部から取り外したキャスターを収納するキャスター収納部を、キャビネットの内部に設けた。これにより、例えば、遊技機の設置後、取り外したキャスターをキャスター収納部に納めておくことで、これらキャスターを紛失するのを防止できる。
【発明の効果】
【００１９】
本発明の遊技機によれば、キャビネットの底部に、キャスターの車輪が露出可能な複数の貫通孔を形成するとともに、キャスターの車輪の一部が貫通孔から露出した状態で、キャスターの本体が取り付けられるキャスター支持部を設けた。これにより、キャスターの車輪を回転させることにより、台車等を用いることなく容易に遊技機を運搬できる。またここで、キャスター本体をキャスター支持部から着脱可能にするとともに、このキャスター支持部を、キャビネットの底部のうちキャビネット内部側に設けた。これにより、キャスター支持部から、キャスターを取り外した場合には、このキャビネットの底面は、略平らな面となる。つまり、キャスターを取り外すことにより、キャビネットの底面と設置面とを合わせた状態で設置できる。これにより、遊技機を安定して設置することができる。また、キャスター支持部をキャビネット内部側に設けたので、作業者は、キャビネットの内部からキャスターを着脱できる。これにより、キャスターを着脱する作業を容易にできる。
【発明を実施するための最良の形態】
【００２０】
以下、実施例の遊技機について説明する。
【実施例１】
【００２１】
図１は、本発明の一実施例の遊技機１の外観を示す斜視図である。
遊技機１は、いわゆる「パチスロ機」である。この遊技機１は、コイン、メダル、遊技球またはトークン等の他、遊技者に付与された、もしくは付与される遊技価値の情報を記憶したカード等の遊技媒体を用いて遊技する遊技機であるが、以下ではメダルを用いるものとして説明する。
【００２２】
遊技機１の全体を形成している筐体４は、箱状のキャビネット６０と、このキャビネット６０を開閉する前面ドア２と、を備える。
【００２３】
この前面ドア２の正面中央には、縦長矩形の表示窓４Ｌ，４Ｃ，４Ｒが設けられる。この表示窓４Ｌ，４Ｃ，４Ｒには、表示ラインとして、水平方向にトップライン８ｂ、センターライン８ｃ及びボトムライン８ｄ、斜め方向にクロスアップライン８ａ及びクロスダウンライン８ｅが設けられている。
【００２４】
これらの表示ラインは、後述の１−ＢＥＴスイッチ１１、２−ＢＥＴスイッチ１２、最大ＢＥＴスイッチ１３を操作すること（以下「ＢＥＴ操作」という）、或いはメダル投入口２２にメダルを投入することにより、それぞれ１本、３本、５本が有効化される。どの表示ラインが有効化されたかは、後で説明するＢＥＴランプ９ａ，９ｂ，９ｃの点灯で表示される。
【００２５】
ここで、表示ライン８ａ〜８ｅは、役の成否に関わる。具体的には、所定の役に対応する図柄組合せを構成する図柄がいずれかの有効ライン（有効化された表示ライン）に対応する所定の位置に並んで停止表示されることにより、所定の役が成立することとなる。
【００２６】
前面ドア２の裏面には、複数のリール３Ｌ，３Ｃ，３Ｒと、これらリール３Ｌ，３Ｃ，３Ｒを回転駆動するステッピングモータと、を収容する変動表示手段としてのリールユニット７３がミドルドア４０を介して取り付けられている（図４参照）。なお、前面ドア２の裏面については、後に図４を参照して詳述する。
【００２７】
各リール３Ｌ，３Ｃ，３Ｒには、それぞれの外周面に、遊技に必要な複数種類の図柄によって構成される識別情報としての図柄列が描かれており、各々はリールユニット７３に回転自在に横一列に設けられている。各リール３Ｌ，３Ｃ，３Ｒの図柄は表示窓４Ｌ，４Ｃ，４Ｒを通して、遊技機１の外部から視認できるようになっている。また、各リール３Ｌ，３Ｃ，３Ｒは、定速回転（例えば８０回転／分）で回転し、図柄列を変動表示する。
【００２８】
表示窓４Ｌ，４Ｃ，４Ｒの上方には、液晶表示部５ａ、情報表示部１８、及びスピーカ９Ｌ，９Ｒが設けられる。液晶表示部５ａは、表示窓４Ｌ，４Ｃ，４Ｒよりも大きな表示面を備え、画像表示による演出を行う。情報表示部１８は、７セグメントＬＥＤから成り、貯留（クレジット）されているメダルの枚数、メダルの払出枚数等を表示する。また、スピーカ９Ｌ，９Ｒは、効果音や音声等の音による演出を行う。
【００２９】
表示窓４Ｌ，４Ｃ，４Ｒの左側には、１−ＢＥＴランプ９ａ、２−ＢＥＴランプ９ｂ、最大ＢＥＴランプ９ｃが設けられる。１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。
【００３０】
１−ＢＥＴランプ９ａは、ＢＥＴ数が“１”で１本の表示ラインが有効化されたとき（１本の有効ラインが設定されたとき）に点灯する。２−ＢＥＴランプ９ｂは、ＢＥＴ数が“２”で３本の表示ラインが有効化されたとき（３本の有効ラインが設定されたとき）に点灯する。最大ＢＥＴランプ９ｃは、ＢＥＴ数が“３”で全て（５本）の表示ラインが有効化されたとき（全て（５本）の有効ラインが設定されたとき）に点灯する。
【００３１】
表示窓４Ｌ，４Ｃ，４Ｒの下方には、略水平面の台座部１０が形成されている。この台座部１０の水平面内のうち、右側には遊技者がメダルを投入するメダル投入口２２が設けられ、左側には１−ＢＥＴスイッチ１１、２−ＢＥＴスイッチ１２、及び最大ＢＥＴスイッチ１３が設けられる。
【００３２】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。これらのＢＥＴスイッチ１１，１２，１３を操作することで、前述のとおり、所定の表示ラインが有効化される。
【００３３】
台座部１０の前面部の左寄りには、遊技者がゲームで獲得したメダルのクレジット／払い出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け皿１６に溜められる。Ｃ／Ｐスイッチ１４の右側には、遊技者の操作により上記リールを回転させ、表示窓４Ｌ，４Ｃ，４Ｒ内での図柄の変動表示を開始するためのスタートレバー６が所定の角度範囲で回動自在に取り付けられている。
【００３４】
台座部１０の前面部の略中央には、遊技者が操作可能であり、３個のリール３Ｌ，３Ｃ，３Ｒの回転をそれぞれ停止させるための３個の操作手段としての停止ボタン７Ｌ，７Ｃ，７Ｒが設けられている。なお、実施例では、一のゲーム（単位遊技）は、基本的にスタートレバー６が操作されることにより開始し、全てのリール３Ｌ，３Ｃ，３Ｒが停止したときに終了する。
【００３５】
実施例では、全てのリールが回転しているときに行われるリールの停止操作（停止ボタンの操作）を「第１停止操作」、「第１停止操作」の後に行われる停止操作を「第２停止操作」、「第２停止操作」の後に行われる停止操作を「第３停止操作」という。
【００３６】
前面ドア２下部の正面には、メダルが払出されるメダル払出口１５と、この払出されたメダルを受け止める受け皿としてのメダル受け皿１６とが設けられている。また、前面ドア２下部の正面のうち、停止ボタン７Ｌ，７Ｃ，７Ｒとメダル受け皿１６とに上下を挟まれた面には、機種のモチーフに対応したデザインがあしらわれた腰部パネル２０が取り付けられている。
【００３７】
図２及び図３を参照して、筐体４の側部及び底部の構成、すなわち、キャビネット側部６３及びキャビネット底部６４について説明する。
図２は筐体４の外観を示す側面図であり、図３は筐体４の外観を示す下面図である。
【００３８】
キャビネット側部６３には、把手部６２が形成されている。この把手部６２は、キャビネット側部６３に略矩形状の貫通孔を形成することによって設けられたものである。これにより、作業者は、把手部６２に指を掛けて、筐体４を運搬することができる。
【００３９】
キャビネット底部６４は略矩形状の板で形成されており、このキャビネット底部６４の四隅には、後に図５〜図８を参照して説明する複数のキャスター８０ａ，８０ｂ，８０ｃ，８０ｄの一部がそれぞれ露出する複数の貫通孔６４１ａ，６４１ｂ，６４１ｃ，６４１ｄが形成されている。また、このキャビネット底部６４の外側の面は、略平らな水平面となっている。
【００４０】
図４及び図５を参照して、筐体４の内部の構成、すなわち、前面ドア２の裏面の構成、及びキャビネット６０の内部の構成について説明する。
【００４１】
図４は、前面ドア２の裏面の構成を示す斜視図である。
前面ドア２は、この前面ドア２の本体を形成する前面ドア本体２ｂと、この前面ドア本体２ｂの裏面に開放可能に設けられたミドルドア４０と、を備える。
【００４２】
前面ドア本体２ｂの上部には、サブベース４２を介して副制御ユニット７２が設けられ、ミドルドア４０には、主制御ユニット７１及びリールユニット７３が設けられる。
【００４３】
サブベース４２は、板状の部材であり、前面ドア２に設けられた液晶表示部５ａの背面を覆うようにして、前面ドア本体２ｂの裏面に、複数のねじ４２１で取り付けられる。サブベース４２は、前面ドア２の裏面に対し略平行に取り付けられる。また、サブベース４２の表面のうち、液晶表示部５ａを覆う領域は、略平らに形成されている。
【００４４】
副制御ユニット７２は、液晶表示部５ａを制御する副制御回路７２１と、この副制御回路７２１を収容しサブベース４２の略平らに形成された領域に取り付けられる副制御回路収容ケース７２２と、液晶表示部５ａの画像表示に必要な画像情報が記憶されたＲＯＭカートリッジ７２３と、このＲＯＭカートリッジ７２３を覆うＲＯＭカバー７２４と、副制御回路７２１に接続される機器や基板を１箇所に集中させるＩ／Ｏ基板７２５と、を備える。
【００４５】
副制御回路７２１は、後述の主制御回路７１１から送信される信号に基づいて液晶表示部５ａを制御する電子回路である。
すなわち、副制御回路７２１と液晶表示部５ａとは、サブベース４２を挟んで配置され、図示しない複数の配線で接続されている。このように、副制御回路７２１を液晶表示部５ａ裏面の近傍に設けることにより、これらの配線を短縮できる。
【００４６】
ミドルドア４０は、略矩形状の部材であり、図４中上部と下部とに分けられる。ミドルドア４０上部は、主制御ユニット７１を支持する主制御ユニットベース４０１であり、ミドルドア４０下部は、リールユニット７３を支持するリールユニットベース４０２である。
【００４７】
主制御ユニットベース４０１は、主制御ユニット７１を水平に支持する主制御ユニット支持部４０８と、主制御ユニット支持部４０８の上端に形成され、ＲＯＭカバー７２４を覆うプレート４０４と、を備える。
【００４８】
リールユニットベース４０２は、リールユニット７３を支持するリールユニット支持部４０９と、このリールユニット支持部４０９の図４中左側の端縁に設けられたミドルドア把持部４０７と、リールユニット支持部４０９のミドルドア把持部４０７の反対側の端縁（図４中右側の端縁）に設けられた回動軸部（図示省略）と、を備える。前面ドア本体２ｂの裏面には、ミドルドア４０の回動軸部を回転自在に支持する支持部４３が設けられ、これにより、ミドルドア４０を開放可能となっている。
【００４９】
主制御ユニット７１は、副制御ユニット７２やリールユニット７３等を制御する主制御回路７１１と、この主制御回路７１１とリールユニット７３及び電源ユニット等とを電気的に接続する主制御コネクタ７１３と、主制御回路７１１を収容しミドルドア４０の主制御ユニット支持部４０８に取り付けられる主制御回路収容ケース７１２と、主制御コネクタ７１３を開閉自在に覆う主制御コネクタカバー７１４と、を備える。
【００５０】
前面ドア本体２ｂの下部には、メダル投入口２２から投入されたメダルを選別するセレクタ４７と、メダルをメダル受け皿１６に案内するキャンセルシュート５５が設けられている。
【００５１】
セレクタ４７は、前面ドア本体２ｂの裏面のうち、上述のメダル投入口２２と略対向する位置に設けられており、このメダル投入口２２から投入されたメダルは、セレクタ４７内部に導入される。セレクタ４７は、メダル投入口２２に投入されたメダルの形状等に基づいて、このメダルを、適正メダルと、不良メダルとに選別する。セレクタ４７により、適正メダルであると選別されたメダルは、キャビネット６０の底部に載置されるホッパー６７（図９参照）に排出され、不良メダルであると選別されたメダルは、キャンセルシュート５５を介して、メダル受け皿１６に排出される。
【００５２】
図５は、キャビネット６０内部の構成を示す拡大斜視図である。具体的には、前面ドア２を開放し、さらに、キャビネット６０内部に載置される電源ユニット及びホッパー６７（図９参照）を取り外した状態における、キャビネット６０の内部の構成を示す拡大斜視図である。
【００５３】
キャビネット底部６４には、上述の複数の貫通孔６４１ａ，６４１ｂ，６４１ｃ，６４１ｄと対応して、キャスター８０ａ，８０ｂ，８０ｃ，８０ｄと、これらキャスター８０ａ，８０ｂ，８０ｃ，８０ｄを着脱可能に支持するキャスター支持部９０ａ，９０ｂ，９０ｃ，９０ｄが設けられている。
【００５４】
キャスター支持部９０ａ，９０ｂ，９０ｃ，９０ｄは、箱状であり、それぞれ、キャビネット底部６４のうちキャビネット６０内部側に、貫通孔６４１ａ，６４１ｂ，６４１ｃ，６４１ｄを略覆うように設けられている。
【００５５】
また、キャビネット側部６３のうち、キャビネット６０内部側の把手部６２の下方には、取り外されたキャスター８０ａ，８０ｂ，８０ｃ，８０ｄを収納するキャスター収納部８９が設けられている。
【００５６】
図６〜図８を参照して、キャスター８０ａ及びキャスター支持部９０ａについて説明する。なお、キャスター８０ｂ〜８０ｄ、及びキャスター支持部９０ｂ〜９０ｄは、これらキャスター８０ａ及びキャスター支持部９０ａと略等しい構成であり、説明を省略する。
【００５７】
図６は、キャスター８０ａをキャスター支持部９０ａから取り外した状態におけるキャスター８０ａ及びキャスター支持部９０ａの構成を示す斜視図である。
図７は、キャスター８０ａをキャスター支持部９０ａに取り付けた状態におけるキャスター８０ａ及びキャスター支持部９０ａの構成を示す斜視図である。
【００５８】
キャスター８０ａは、円筒状の車輪８１と、この車輪８１を回転可能に支持するキャスター本体８２と、を備える。
【００５９】
キャスター本体８２は、車輪８１を回転可能に支持する支脚部８２１と、板状の取付部８２２と、支脚部８２１を取付部８２２に対して昇降させる昇降機構としてのガスシリンダー部８２３と、を備える。
【００６０】
支脚部８２１は、略棒状であり、その先端側には、一対の車輪支持板８２４ａ，８２４ｂが設けられている。これら車輪支持板８２４ａ，８２４ｂの間には、車輪８１の回転中心としての回転軸８２５が設けられており、これにより、支脚部８２１は、車輪８１を回転可能に支持する。
取付部８２２は、板状であり、その幅方向（図６中水平方向）に沿った長さは、キャスター８０ａを構成する部材のうち最も長い。
【００６１】
ガスシリンダー部８２３は、略棒状であり、取付部８２２と支脚部８２１とを連結する。ガスシリンダー部８２３は、支脚部８２１を、図６中下方へ緩衝的に付勢する。また、このガスシリンダー部８２３には、図示しない調整レバーが設けられており、この調整レバーを操作することにより、支脚部８２１を図６中下方へ付勢させたり、この付勢する力を解除させたりできるようになっている。
【００６２】
つまり、調整レバーを操作して支脚部８２１を下方へ付勢することにより、支脚部８２１をガスシリンダー部８２３から突出させることができる（図８の（ａ）参照）。また、調整レバーを操作して支脚部８２１を付勢する力を解除することにより、支脚部８２１をガスシリンダー部８２３に埋没させることができる（図８の（ｂ）参照）。
【００６３】
以上のようにして、キャスター８０ａは、その取付部８２２から車輪８１の先端側までの長さを調整することが可能となっている。
【００６４】
キャスター支持部９０ａは、略箱状であり、その前面部が開放されている。このキャスター支持部９０ａ内部には、キャスター８０ａの取付部８２２の両端部８２２ａ，８２２ｂが嵌合する嵌合溝９１ａ，９１ｂが設けられている。これにより、取付部８２２の両端部８２２ａ，８２２ｂを、嵌合溝９１ａ，９１ｂに嵌合させて、キャスター８０ａをキャスター支持部９０ａに着脱可能に取り付けることができる。
【００６５】
またキャスター支持部９０ａは、キャスター支持部９０ａの幅方向（図６中水平方向）に沿った長さと略等しい長さを有するプレート９２を備えるとともに、キャスター支持部９０ａの前面部には、このプレート９２を回動可能に支持する回動軸９３が設けられている。
【００６６】
この回動軸９３は、キャスター支持部９０ａの前面部のうち、嵌合溝９１ｂの図６中右方に設けられており、プレート９２の基端側を支持している。また、キャスター支持部９０ａの前面部のうち、嵌合溝９１ａの図６中左方には、プレート９２の先端側が係止する係止部９４が設けられている。すなわち、プレート９２の先端側を係止部９４に係止させた状態では、このプレート９２は、嵌合溝９１ａ，９１ｂを、キャスター支持部９０ｂの前面部から覆うこととなる。
以上のようにしてプレート９２、回動軸９３、及び係止部９４を設けることにより、キャスター８０ａの取付部８２２を嵌合溝９１ａ，９１ｂに嵌合させた状態で、キャスター本体８２を固定する固定機構が構成される。
【００６７】
以上のように構成されたキャスター８０ａをキャスター支持部９０ａに取り付ける手順について説明する。
まず、キャスター支持部９０ａのプレート９２を上げた状態にし、キャスター８０ａをキャスター支持部９０ａの前面部側から挿入して、取付部８２２の両端部８２２ａ，８２２ｂを、嵌合溝９１ａ，９１ｂに嵌合させる。
次に、プレート９２を下ろし、その先端側を係止部９４に係止させ、キャスター本体８２を固定する。以上のようにして、キャスター８０ａは、キャスター支持部９０ａに取り付けられる（図７参照）。
【００６８】
図８は、キャスター８０ａをキャスター支持部９０ａに取り付けた状態におけるキャスター８０ａ及びキャスター支持部９０ａの構成を示す側面図である。具体的には、図８の（ａ）は、キャスター８０ａの支脚部８２１をガスシリンダー部８２３から突出させた状態におけるキャスター８０ａの側面図である。また、図８の（ｂ）は、キャスター８０ａの支脚部８２１をガスシリンダー部８２３に埋没させた状態におけるキャスター８０ａの側面図である。
【００６９】
図８の（ａ）に示すように、キャスター８０ａをキャスター支持部９０ａに取り付けて、支脚部８２１をガスシリンダー部８２３から突出させた状態では、車輪８１の少なくとも一部は、貫通孔６４１ａからキャビネット６０の外部に露出する。
【００７０】
また、図８の（ｂ）に示すように、キャスター８０ａをキャスター支持部９０ａに取り付けて、支脚部８２１をガスシリンダー部８２３に埋没させた状態では、車輪８１は、キャビネット６０の内部に収納される。
【００７１】
以上のような遊技機１によれば、以下のような効果がある。
【００７２】
キャビネット底部６４に、キャスター８０ａ〜８０ｄの車輪８１が露出可能な複数の貫通孔６４１ａ〜６４１ｄを形成するとともに、キャスター８０ａ〜８０ｄの車輪８１の一部が貫通孔６４１ａ〜６４１ｄから露出した状態で、キャスター８０ａ〜８０ｄのキャスター本体８２が取り付けられるキャスター支持部９０ａ〜９０ｄを設けた。これにより、キャスター８０ａ〜８０ｄの車輪８１を回転させることにより、台車等を用いることなく容易に遊技機１を運搬できる。
【００７３】
またここで、キャスター本体８２をキャスター支持部９０ａ〜９０ｄから着脱可能にするとともに、これらキャスター支持部９０ａ〜９０ｄを、キャビネット底部６４のうちキャビネット６０内部側に設けた。これにより、キャスター支持部９０ａ〜９０ｄから、キャスター８０ａ〜８０ｄを取り外した場合には、このキャビネット６０の底面は、略平らな面となる。つまり、キャスター８０ａ〜８０ｄを取り外すことにより、キャビネット６０の底面と設置面とを合わせた状態で設置できる。これにより、遊技機１を安定して設置することができる。
また、キャスター支持部９０ａ〜９０ｄをキャビネット６０内部側に設けたので、作業者は、キャビネット６０の内部からキャスター８０ａ〜８０ｄを着脱できる。これにより、キャスター８０ａ〜８０ｄを着脱する作業を容易にできる。
【００７４】
また、キャスター支持部９０ａ〜９０ｄに、キャスター本体８２を固定する固定機構を設けた。これにより、遊技機１の運搬中に、キャスター本体８２がキャスター支持部９０ａ〜９０ｄから脱落するのを防止できる。
【００７５】
また、キャスター本体８２に、支脚部８２１を取付部８２２に対して昇降させるガスシリンダー部８２３を設けた。これにより、キャスター本体８２をキャスター支持部９０ａに取り付けた状態で、このキャスター８０ａの長さを調整することができる。
したがって、例えば、キャスター本体８２をキャスター支持部９０ａから取り外す場合には、これに先だってキャスター８０ａの長さを短くし、貫通孔６４１ａ〜６４１ｄから露出した車輪８１をキャビネット６０内部に収納し、キャビネット６０の底面を設置面に併せることにより、キャスター８０ａ〜８０ｄを取り外す際にキャビネット６０に加わる衝撃を抑えることができる。
【００７６】
また、キャスター支持部９０ａ〜９０ｄから取り外したキャスター８０ａ〜８０ｄを収納するキャスター収納部８９を、キャビネット６０の内部に設けた。これにより、例えば、遊技機１の設置後、取り外したキャスター８０ａ〜８０ｄをキャスター収納部８９に納めておくことで、これらキャスター８０ａ〜８０ｄを紛失するのを防止できる。
【００７７】
図９は、遊技機１における遊技処理動作を制御する主制御回路７１１と、主制御回路７１１に電気的に接続する周辺装置（アクチュエータ）と、主制御回路７１１から送信される制御指令に基づいて液晶表示部５ａ、スピーカ９Ｌ，９Ｒ、ＬＥＤ類１０１及びランプ類１０２を制御する副制御回路７２１とを含む回路構成を示すブロック図である。
【００７８】
主制御回路７１１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、記憶手段であるＲＯＭ３２及びＲＡＭ３３を含む。
【００７９】
ＣＰＵ３１には、基準クロックパルスを発生するクロックパルス発生回路３４及び分周器３５と、サンプリングされる乱数を発生する乱数発生器３６及びサンプリング回路３７とが接続されている。尚、乱数サンプリングのための手段として、マイクロコンピュータ３０内で、すなわちＣＰＵ３１の動作プログラム上で、乱数サンプリングを実行するように構成してもよい。その場合、乱数発生器３６及びサンプリング回路３７は省略可能であり、或いは、乱数サンプリング動作のバックアップ用として残しておくことも可能である。
【００８０】
マイクロコンピュータ３０のＲＯＭ３２には、スタートレバー６を操作（スタート操作）する毎に行われる乱数サンプリングの判定に用いられる内部抽籤テーブル、停止ボタン７Ｌ，７Ｃ，７Ｒの操作に応じてリールの停止態様を決定するための停止テーブル群、副制御回路７２１へ送信するための各種制御指令（コマンド）等が格納されている。副制御回路７２１が主制御回路７１１へコマンド、情報等を入力することはなく、主制御回路７１１から副制御回路７２１への一方向で通信が行われる。ＲＡＭ３３には、種々の情報が格納される。例えば、フラグ、内部当籤役、持越役、現在の遊技状態の情報等が格納される。
【００８１】
図９の回路において、マイクロコンピュータ３０からの制御信号により動作が制御される主要なアクチュエータとしては、ＢＥＴランプ（１−ＢＥＴランプ９ａ、２−ＢＥＴランプ９ｂ、最大ＢＥＴランプ９ｃ）と、情報表示部１８と、メダルを収納し、ホッパー駆動回路４１の命令により所定枚数のメダルを払い出すホッパー６７と、リール３Ｌ，３Ｃ，３Ｒを回転駆動するステッピングモータ４９Ｌ，４９Ｃ，４９Ｒと、がある。
【００８２】
また、ステッピングモータ４９Ｌ，４９Ｃ，４９Ｒを駆動制御するモータ駆動回路３９、ホッパー６７を駆動制御するホッパー駆動回路４１、ＢＥＴランプ９ａ，９ｂ，９ｃを駆動制御するランプ駆動回路４５、及び情報表示部１８を駆動制御する表示部駆動回路６１がＣＰＵ３１の出力部に接続されている。これらの駆動回路は、それぞれＣＰＵ３１から出力される駆動指令等の制御信号を受けて、各アクチュエータの動作を制御する。
【００８３】
また、マイクロコンピュータ３０が制御指令を発生するために必要な入力信号を発生する主な入力信号発生手段としては、スタートスイッチ６Ｓ、１−ＢＥＴスイッチ１１、２−ＢＥＴスイッチ１２、最大ＢＥＴスイッチ１３、Ｃ／Ｐスイッチ１４、メダルセンサ２２Ｓ、リール停止信号回路４６、リール位置検出回路５０、払出完了信号回路５１がある。
【００８４】
スタートスイッチ６Ｓは、スタートレバー６の操作を検出し、遊技開始指令信号を出力する。メダルセンサ２２Ｓは、メダル投入口２２に投入されたメダルを検出する。リール停止信号回路４６は、遊技者による各停止ボタン７Ｌ，７Ｃ，７Ｒの操作に応じて停止信号（停止指令信号）を発生する。リール位置検出回路５０は、リール回転センサからのパルス信号を受けて各リール３Ｌ，３Ｃ，３Ｒの位置を検出するための信号をＣＰＵ３１へ供給する。払出完了信号回路５１は、メダル検出部４０Ｓの計数値（ホッパー６７から払出されたメダルの枚数）が指定された枚数データに達した時、メダル払出完了を検知するための信号を発生する。
【００８５】
図９の回路において、乱数発生器３６は、一定の数値範囲に属する乱数を発生し、サンプリング回路３７は、スタートレバー６が操作された後の適宜のタイミングで１個の乱数をサンプリングする。こうしてサンプリングされた乱数を使用することにより、例えばＲＯＭ３２内に格納されている内部抽籤テーブル等に基づいて内部当籤役等が決定される。内部当籤役（内部当籤役データ）は、その内部当籤役に対応する停止制御の態様等を介して、対応する図柄組合せと遊技者に付与される利益とが間接的に対応付けられているといえる。
【００８６】
リール３Ｌ，３Ｃ，３Ｒの回転が開始された後、ステッピングモータ４９Ｌ，４９Ｃ，４９Ｒの各々に供給される駆動パルスの数が計数され、その計数値はＲＡＭ３３の所定エリアに書き込まれる。リール３Ｌ，３Ｃ，３Ｒからは一回転毎にリセットパルスが得られ、これらのパルスはリール位置検出回路５０を介してＣＰＵ３１に入力される。こうして得られたリセットパルスにより、ＲＡＭ３３で計数されている駆動パルスの計数値が“０”にクリアされる。これにより、ＲＡＭ３３内には、各リール３Ｌ，３Ｃ，３Ｒについて一回転の範囲内における回転位置に対応した計数値が格納される。
【００８７】
上記のようなリール３Ｌ，３Ｃ，３Ｒの回転位置とリール外周面上に描かれた図柄とを対応づけるために、図柄テーブル（図示せず）が、ＲＯＭ３２内に格納されている。この図柄テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応づけられている。
【００８８】
さらに、ＲＯＭ３２内には、図柄組合せテーブルが格納されている。この図柄組合せテーブルでは、役に対応する図柄の組合せと、図柄の組合せに対応するメダル配当枚数と、その判定コードとが対応づけられている。上記の図柄組合せテーブルは、左のリール３Ｌ、中央のリール３Ｃ、右のリール３Ｒの停止制御時、及び全リール３Ｌ，３Ｃ，３Ｒの停止後の表示役の確認を行う場合に参照される。表示役は、表示ラインに沿って並ぶ図柄組合せに対応する役（成立役）である。
【００８９】
上記乱数サンプリングに基づく抽籤処理（内部抽籤処理等）に基づいて、ＣＰＵ３１は、遊技者が停止ボタン７Ｌ，７Ｃ，７Ｒを操作したタイミングでリール停止信号回路４６から送られる停止信号、及び選択された停止テーブルに基づいて、リール３Ｌ，３Ｃ，３Ｒを停止制御する信号をモータ駆動回路３９に送り、リール３Ｌ，３Ｃ，３Ｒの変動表示を停止表示させる。
【００９０】
当籤した役を示す停止態様となれば、ＣＰＵ３１は、払出指令信号をホッパー駆動回路４１に供給してホッパー６７から所定個数のメダルの払出を行う。その際、メダル検出部４０Ｓは、ホッパー６７から払出されるメダルの枚数を計数し、その計数値が指定された数に達した時に、メダル払出完了信号がＣＰＵ３１に入力される。これにより、ＣＰＵ３１は、ホッパー駆動回路４１を介してホッパー６７の駆動を停止し、メダル払出処理を終了する。
【００９１】
以上、実施例について説明したが、本発明はこれに限られるものではない。
【図面の簡単な説明】
【００９２】
【図１】本発明の一実施例の遊技機の外観を示す斜視図である。
【図２】筐体の外観を示す側面図である。
【図３】筐体の外観を示す下面図である。
【図４】前面ドアの裏面の構成を示す斜視図である。
【図５】キャビネット内部の構成を示す斜視図である。
【図６】キャスター及びキャスター支持部の構成を示す斜視図である。
【図７】キャスター及びキャスター支持部の構成を示す斜視図である。
【図８】キャスター及びキャスター支持部の構成を示す側面図である。
【図９】回路構成を示すブロック図である。
【符号の説明】
【００９３】
１    遊技機
２    前面ドア
４    筐体
７Ｌ，７Ｃ，７Ｒ    停止ボタン
６０    キャビネット
６２    把手部
６３    キャビネット側部
６４    キャビネット底部
６４１ａ，６４１ｂ，６４１ｃ，６４１ｄ    貫通孔
７１    主制御ユニット
７３    リールユニット
８０ａ，８０ｂ，８０ｃ，８０ｄ    キャスター
８１    車輪
８２    キャスター本体
８２１    支脚部
８２２    取付部
８２３    ガスシリンダー部
８９    キャスター収納部
９０ａ，９０ｂ，９０ｃ，９０ｄ    キャスター支持部
【図１】
2008079865.tif 000003
【図２】
2008079865.tif 000004
【図３】
2008079865.tif 000005
【図４】
2008079865.tif 000006
【図５】
2008079865.tif 000007
【図６】
2008079865.tif 000008
【図７】
2008079865.tif 000009
【図８】
2008079865.tif 000010
【図９】
2008079865.tif 000011